(57)【要約】【課題】配達票と貼付票とを有してなる配送ラベルにおいて、配達票のみならず貼付票を剥離可能としながらも、貼付票が不用意に剥離してしまうことを回避する。【解決手段】配達票１０が、下シート２ｂに積層された感圧接着層４と、感圧接着層４と配達票１０との間に介在する剥離層６及び印刷層７とによって下シート２ｂに剥離可能に貼着されているとともに、感圧接着層４によって下シート２ｂに貼着された貼付票２０が、感圧接着層４によって下シート２ｂに貼着された配達票１０を下シート２ｂから剥離可能とするための剥離層６及び印刷層７のうち剥離層６のみによって下シート２ｂから剥離可能となっている。【選択図】図１
2017125918.tif 000002
【特許請求の範囲】
【請求項１】
配達票と貼付票とが切り離し線を介して分離可能に連接した第１のシートと、
一方の面に接着層が積層されるとともに、他方の面に粘着層を介して剥離紙が剥離可能に貼着され、前記接着層が積層された面が前記第１のシートに対向するように配置された第２のシートとを有し、
前記配達票は、前記接着層と、該接着層と当該配達票との間に介在する２層の剥離層とによって前記第２のシートに剥離可能に貼着され、
前記貼付票は、前記２層の剥離層のうちいずれか一方の剥離層が前記配達票に対向する領域から前記切り離し線を介して当該貼付票に対向する領域まで延設されることで、前記接着層と、前記延設した剥離層とによって前記第２のシートに剥離可能に貼着されている、配送ラベル。
【発明の詳細な説明】
【技術分野】
【０００１】
本発明は、配達票と貼付票とを有してなる配送ラベルにおいて、配達票のみならず貼付票を剥離可能とする技術に関する。
【背景技術】
【０００２】
従来、配送物を配送する場合、配送物の配送元及び配送先の住所や氏名あるいは名称等の配送情報が印字された配送ラベルが用いられている。このような配送ラベルは、例えば、配達票と貼付票とを有し、これら配達票と貼付票のそれぞれに上述したような配送情報が印字され、裏面に塗布された粘着剤によって配送物に貼付されて使用される。そして、配送物が配送先に配送された後、配送物に貼付された配送ラベルのうち配達票が配送ラベルから分離され、配送業者等にて持ち帰られることになる。
【０００３】
上記のような構成を実現するためには、配送ラベルを構成する基材のうち、配達票となる領域のみに剥離層と印刷層とを設けておき、配達票となる領域をこの剥離層と印刷層とによって配送物から剥離可能とすることが考えられる（例えば、特許文献１参照）。ここで、配達票となる領域に剥離層を設けるだけでは、配達票を配送ラベルから剥離することはできるものの、配送業者がその作業中に配達票を迅速に剥離するにはその剥離力が重すぎて紙破れが生じてしまう虞がある。そこで、剥離層と印刷層というように２層の剥離層を用いることが好ましい。なお、印刷層のみを用いた場合は、印刷層による色が濃くなって配達票を介して視認され、見た目が悪くなってしまう。
【先行技術文献】
【特許文献】
【０００４】
【特許文献１】特開平９−３２７９８５号公報
【発明の概要】
【発明が解決しようとする課題】
【０００５】
ところで、上述したような構成を有する配送ラベルにおいては、配送物が配送先に配送された後、配達票が配送物から剥離されるものの、貼付票は配送物に貼付されたままとなる。そのため、配送ラベルが貼付された、配送物の外装となる梱包物を廃棄する場合、貼付票が貼付されたまま梱包物が廃棄されることとなり、貼付票に印字された配送情報が漏えいしてしまう虞がある。
【０００６】
そこで、貼付票も配達票と同様に配送物から剥離可能とする構成とすることが考えられる。例えば、貼付票と配達票とが分離可能に連接した第１のシートに、一方の面に粘着層が積層された第２のシートを、上述したような２層の剥離層によって剥離可能に貼着し、粘着層によって配送物に貼付する構成とすれば、配達票と貼付票とのいずれも第２のシートから剥離することができ、それにより、配達票のみならず貼付票も配送物から剥離することができる。
【０００７】
しかしながらその場合、貼付票が配達票と同様に第２のシートから剥離しやすくなっているため、配送物の配送途中等にて貼付票が不用意に配送物から剥離して脱落してしまう虞がある。そして、配達票も同様に配送物に剥離可能に貼付されていることから、配達票とともに貼付票が配送物から剥離して脱落した場合、配送物の配送先や配送元を特定することができなくなってしまうという問題点がある。
【０００８】
本発明は、上述したような従来の技術が有する問題点に鑑みてなされたものであって、配達票と貼付票とを有してなる配送ラベルにおいて、配達票のみならず貼付票を剥離可能としながらも、貼付票が不用意に剥離してしまうことを回避できる配送ラベルを提供することを目的とする。
【課題を解決するための手段】
【０００９】
上記目的を達成するために本発明は、
配達票と貼付票とが切り離し線を介して分離可能に連接した第１のシートと、
一方の面に接着層が積層されるとともに、他方の面に粘着層を介して剥離紙が剥離可能に貼着され、前記接着層が積層された面が前記第１のシートに対向するように配置された第２のシートとを有し、
前記配達票は、前記接着層と、該接着層と当該配達票との間に介在する２層の剥離層とによって前記第２のシートに剥離可能に貼着され、
前記貼付票は、前記２層の剥離層のうちいずれか一方の剥離層が前記配達票に対向する領域から前記切り離し線を介して当該貼付票に対向する領域まで延設されることで、前記接着層と、前記延設した剥離層とによって前記第２のシートに剥離可能に貼着されている。
【００１０】
上記のように構成された本発明においては、第２のシートに貼着された剥離紙が剥離されることで表出した粘着層によって配送物に貼付されて配送物が配送先に配送される。そして、配送物が配送先に配送された後、配達票が、切り離し線によって貼付票と切り離されながら第２のシートから剥離されることで配送物から剥離されることになる。配達票は、第２のシートに積層された接着層と、接着層と配達票との間に介在する２層の剥離層とによって第２のシートに剥離可能に貼着されているので、配送業者がその作業中に配達票を配送物から迅速に剥離することができる。その後、配送物の配送先において、配送ラベルが貼付された、配送物の外装となる梱包物が廃棄される際、貼付票に印字された配送情報の漏えいを回避するために貼付票が配送物から剥離される。貼付票は、第２のシートに積層された接着層と、上述した２層の剥離層のうちいずれか一方の剥離層とによって第２のシートに剥離可能に貼着されているので、配送物の配送先において貼付票を配送物から剥離することができる。ここで、貼付票は、接着層によって第２のシートに貼着された配達票を第２のシートから剥離可能とするための２層の剥離層のうち一方の剥離層のみによって第２のシートから剥離可能となっているため、貼付票を第２のシートから剥離するために必要となる剥離力が、配達票を第２のシートから剥離するために必要となる剥離力よりも重くなっている。そのため、貼付票は配達票に比べて第２のシートから剥離しにくくなっており、それにより、貼付票が、配送物の配送先においては第２のシートから剥離できるものの、配送物の配送途中等において不用意に剥離してしまうことが回避される。このように、貼付票が配送物の配送途中等において不用意に剥離してしまうことを回避するために、貼付票を第２のシートから剥離するために必要となる剥離力を、配達票を第２のシートから剥離するために必要となる剥離力よりも重くしているが、その構成を、接着層によって第２のシートに貼着された配達票が、２層の剥離層によって第２のシートから剥離可能となっていることを利用し、配達票を第２のシートから剥離可能とする２層の剥離層のうちいずれか一方の剥離層を配達票に対向する領域から貼付票に対向する領域まで延設させることで実現している。
【発明の効果】
【００１１】
本発明によれば、配達票が、第２のシートに積層された接着層と、接着層と配達票との間に介在する２層の剥離層とによって第２のシートに剥離可能に貼着されているとともに、接着層によって第２のシートに貼着された貼付票が、接着層によって第２のシートに貼着された配達票を第２のシートから剥離可能とするための２層の剥離層のうち一方の剥離層のみによって第２のシートから剥離可能となっているため、配達票のみならず貼付票を剥離可能としながらも、貼付票を第２のシートから剥離するために必要となる剥離力が、配達票を第２のシートから剥離するために必要となる剥離力よりも重くなっていることにより、貼付票が不用意に剥離してしまうことを回避できる。
【図面の簡単な説明】
【００１２】
【図１】本発明の配送ラベルの実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図、（ｅ）は裏面図である。
【図２】図１に示した配送ラベルを配送物に貼付するまでの配送ラベルの使用方法を説明するための図である。
【図３】図１に示した配送ラベルが貼付された配送物の配送先における配送ラベルの使用方法を説明するための図である。
【図４】図１に示した配送ラベルが貼付された配送物の配送先における配送ラベルの使用方法を説明するための図である。
【発明を実施するための形態】
【００１３】
以下に、本発明の実施の形態について図面を参照して説明する。
【００１４】
図１は、本発明の配送ラベルの実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図、（ｅ）は裏面図である。
【００１５】
本形態は図１に示すように、ラベルシート２と剥離紙３とが剥離可能に貼着されて構成されており、ラベルシート２は、第１のシートとなる上シート２ａと、第２のシートとなる下シート２ｂとが貼着されて構成されている。なお、図１（ｄ）においては、配送ラベル１の積層構造をわかりやすくするために便宜上厚みを帯びて図示しているが、配送ラベル１は実際には、図１（ｂ），（ｃ）に示すように、横方向から見た場合に積層構造がわからないほどのものである。
【００１６】
上シート２ａは、配達票１０と貼付票２０とが切り離し線となるスリット３０を介して連接して構成されている。なお、スリット３０は、上シート２ａのみに形成されており、下シート２ｂまでは達していない。配達票１０と貼付票２０のそれぞれには、配送ラベル１が貼付されて配送される配送物の配送元及び配送先の住所や氏名あるいは名称等の配送情報が印字される配送情報印字領域１１，２１が設けられている。また、配達票１０には、配送ラベル１が貼付されて配送される配送物の配送先にて受領印を押下するための押印領域１２が設けられている。
【００１７】
上シート２ａの下シート２ｂとの貼着面には、その全面に剥離剤が塗布されることで剥離層６が積層されている。なお、剥離層６を構成する剥離剤としては、例えば、シリコーン、長鎖アルキルポリマー、ポリオレフィン、アルキド樹脂、フッ素化合物等を例示することができる。これらの樹脂は、エマルジョン型、溶剤型又は無溶剤型のいずれもが使用できる。この剥離層６はそもそも、配達票１０を下シート２ｂから剥離するために上シート２ａの配達票１０となる領域に積層されるものであるが、その剥離層６がスリット３０を介して貼付票２０に対向する領域まで延設することで、上シート２ａの貼付票２０となる領域にも積層されている。すなわち、図１（ｄ）においては、配送ラベル１の積層構造をわかりやすくするために、便宜上、配達票１０となる領域と貼付票２０となる領域とで剥離層６の厚さが異なっているが、実際には、配達票１０となる領域と貼付票２０となる領域とで、剥離層６の厚さは同一となっている。
【００１８】
下シート２ｂの上シート２ａとの貼着面には、その全面に感圧接着剤が塗布されることで感圧接着層４が積層されており、さらに、感圧接着層４上には、配達票１０に対向する領域に、例えばＵＶ硬化型インキ等のインキを用いた印刷が施されることで印刷層７が積層されている。また、下シート２ｂの剥離紙３との貼着面には、その全面に粘着剤が塗布されることで粘着層５が積層されており、この粘着層５によってその全面に剥離紙３が剥離可能に貼着されている。
【００１９】
このように構成された配送ラベル１においては、印刷層７が、インキによって構成されていることから剥離層として機能するため、上シート２ａと下シート２ｂとがその全面にて感圧接着層４によって互いに貼着されているものの、配達票１０となる領域においては、剥離層６と印刷層７との２層の剥離層によって上シート２ａと下シート２ｂとが剥離可能となっており、貼付票２０となる領域においては、１層の剥離層６のみによって上シート２ａと下シート２ｂとが剥離可能となっている。そのため、配達票１０と貼付票２０とのいずれの領域においても上シート２ａと下シート２ｂとが剥離可能に貼着されているが、貼付票２０を下シート２ｂから剥離するために必要となる剥離力が、配達票１０を下シート２ｂから剥離するために必要となる剥離力よりも重くなっている。
【００２０】
以下に、上記のように構成された配送ラベル１の使用方法について説明する。
【００２１】
まず、配送ラベル１を配送物に貼付するまでの使用方法について説明する。
【００２２】
図２は、図１に示した配送ラベル１を配送物に貼付するまでの配送ラベル１の使用方法を説明するための図である。
【００２３】
図１に示した配送ラベル１を用いて配送物を配送する場合は、まず、図２（ａ）に示すように、配達票１０及び貼付票２０に設けられた配送情報印字領域１１，２１のそれぞれに、配送ラベル１が貼付されて配送される配送物の配送元及び配送先の住所や氏名あるいは名称等の配送情報１１ａ，２１ａを印字する。
【００２４】
配送情報印字領域１１，２１に配送情報１１ａ，２１ａを印字した後、下シート２ｂから剥離紙３を剥離し、図２（ｂ）に示すように、下シート２ｂの上シート２ａとの貼着面とは反対側の面に表出した粘着層５によって配送ラベル１を配送物８に貼付する。なお、配達票１０と貼付票２０との境界にはスリット３０が形成されているが、スリット３０は、上シート２ａのみに形成されており下シート２ｂまでは達していないため、下シート２ｂから剥離紙３が剥離される際には、配達票１０と貼付票２０とは互いに切り離されない。
【００２５】
このようにして配送ラベル１が貼付された配送物８は、配達票１０及び貼付票２０に設けられた配送情報印字領域１１，２１のそれぞれに印字された配送情報１１ａ，２１ａに従って配送先に配送されていく。
【００２６】
次に、配送ラベル１が貼付された配送物８の配送先における使用方法について説明する。
【００２７】
図３及び図４は、図１に示した配送ラベル１が貼付された配送物の配送先における配送ラベル１の使用方法を説明するための図である。
【００２８】
上記のようにして配送ラベル１が貼付された配送物８が配送先に配送されると、図３（ａ）に示すように、配達票１０に設けられた押印領域１２に受領印１２ａが押下される。そして、配送ラベル１のうち、配達票１０のみを配送物８から剥離していく。
【００２９】
配達票１０は、上シート２ａに形成されたスリット３０によって貼付票２０と分離可能となっており、さらに、上シート２ａと下シート２ｂとが感圧接着層４によって貼着されているものの、上シート２ａの下シート２ｂとの貼着面にはその全面に剥離層６が積層されており、また、下シート２ｂの上シート２ａとの貼着面には、配達票１０に対向する領域において感圧接着層４上に印刷層７が積層されているため、図３（ｂ）に示すように、配達票１０を下シート２ｂから剥離して配送物８から剥離することができる。ここで、配達票１０となる領域において上シート２ａと感圧接着層４との間に剥離層６を介在させるだけでは、配達票１０を配送ラベル１から剥離することはできるものの、配送業者がその作業中に配達票１０を迅速に剥離するにはその剥離力が重すぎて紙破れが生じてしまう虞がある。そのため、印刷層７によって上シートａと下シート２ｂとの剥離力を軽くし、配送業者がその作業中に配達票１０を配送物８から迅速に剥離することができるようにしているが、印刷層７の上シート２ａ側に剥離層６が配置されていることで、印刷層７による色が配達票１０を介して視認されることがなくなり、見た目が悪くなってしまうことを回避できる。
【００３０】
このようにして配送物８から剥離された配達票１０は、配送業者によって持ち帰られ、配送物８が配送先に配送されたことが管理されることとなる。
【００３１】
その後、配送ラベル１が貼付された、配送物８の外装となる梱包物を廃棄する際、図４（ａ）に示すように、配送ラベル１のうち、配送物８に貼付されたままとなっている貼付票２０を配送物８から剥離していく。
【００３２】
貼付票２０は、感圧接着層４によって下シート２ｂに貼着されているものの、上シート２ａの下シート２ｂとの貼着面にはその全面に剥離層６が積層されているため、図４（ｂ）に示すように、貼付票２０を下シート２ｂから剥離して配送物８から剥離することができる。これにより、配送ラベル１が貼付された、配送物８の外装となる梱包物を廃棄する場合であっても、貼付票２０の配送情報印字領域２１に印字された配送情報２１ａが漏えいしてしまうことを回避できる。
【００３３】
ここで、感圧接着層４によって下シート２ｂに貼着された配達票１０については、上述したように剥離層６と印刷層７との２層の剥離層によって下シート２ｂから剥離可能となっているため、配送業者がその作業中に配達票１０を配送物８から迅速に剥離することができるものの、感圧接着層４によって下シート２ｂに貼着された貼付票２０については、１層の剥離層６のみによって下シート２ｂから剥離可能となっているため、貼付票２０を下シート２ｂから剥離するために必要となる剥離力が、配達票１０を下シート２ｂから剥離するために必要となる剥離力よりも重くなっている。そのため、貼付票２０は、配達票１０に比べて下シート２ｂから剥離しにくくなっており、それにより、配送物８の配送先においては下シート２ｂから剥離できるものの、配送物８の配送途中等において不用意に剥離してしまうことを回避できる。
【００３４】
このように、貼付票２０が配送物８の配送途中等において不用意に剥離してしまうことを回避するために、貼付票２０を下シート２ｂから剥離するために必要となる剥離力を、配達票１０を下シート２ｂから剥離するために必要となる剥離力よりも重くしているが、そのための構成を、感圧接着層４によって下シート２ｂに貼着された配達票１０が、剥離層６と印刷層７との２層の剥離層によって下シート２ｂから剥離可能となっていることを利用し、配達票１０を下シート２ｂから剥離可能とする２層の剥離層のうち一方の剥離層６を配達票１０に対向する領域から貼付票２０に対向する領域まで延設させることで実現している。それにより、簡易な構成で、貼付票２０を下シート２ｂから剥離するために必要となる剥離力を、配達票１０を下シート２ｂから剥離するために必要となる剥離力よりも重くするための構成を実現することができる。
【００３５】
なお、本形態においては、上シート２ａの下シート２ｂとの貼着面の全面に剥離層６が積層されるとともに、下シート２ｂの上シート２ａとの貼着面のうち配達票１０に対向する領域に印刷層７が積層されることにより、上シート２ａと下シート２ｂとがその全面にて感圧接着層４によって互いに貼着されているものの、配達票１０となる領域においては、剥離層６と印刷層７との２層の剥離層によって剥離可能となっており、貼付票２０となる領域においては、１層の剥離層６のみによって剥離可能となっているが、下シート２ｂの上シート２ａとの貼着面の全面に印刷層７が積層されるとともに、上シート２ａの下シート２ｂとの貼着面のうち配達票１０となる領域のみに剥離層６が積層され、それにより、配達票１０となる領域においては、剥離層６と印刷層７との２層の剥離層によって上シート２ａと下シート２ｂとが剥離可能となっており、貼付票２０となる領域においては、１層の印刷層７のみによって上シート２ａと下シート２ｂとが剥離可能となっているものとしてもよい。この場合においても、配達票１０を下シート２ｂから迅速に剥離可能とするために剥離層６とは別に下シート２ｂに積層された印刷層７がスリット３０を介して貼付票２０に対向する領域まで延設することで、上シート２ａの貼付票２０に対向する領域にも印刷層７が積層された構成となり、簡易な構成で、貼付票２０を下シート２ｂから剥離するために必要となる剥離力を、配達票１０を下シート２ｂから剥離するために必要となる剥離力よりも重くするための構成を実現することができる。
【符号の説明】
【００３６】
１    配送ラベル
２    ラベルシート
２ａ    上シート
２ｂ    下シート
３    剥離紙
４    感圧接着層
５    粘着層
６    剥離層
７    印刷層
８    配送物
１０    配達票
１１，２１    配送情報印字領域
１１ａ，２１ａ    配送情報
１２    押印領域
１２ａ    受領印
２０    貼付票
３０    スリット
【図１】
2017125918.tif 000003
【図２】
2017125918.tif 000004
【図３】
2017125918.tif 000005
【図４】
2017125918.tif 000006